(57)【要約】【課題】容器内に収容した内容物の収容箇所に空気が入ることを防止しながら、前記内容物を良好に出すことができるだけでなく、持った時などでも重心が変動し難い容器を提供する。【解決手段】本発明の容器１は、可撓性を有する容器本体４の底部の少なくとも一部が開口され、この容器本体４の底部の開口部を覆い、かつ容器本体４内部に伸縮可能とされた袋体７が容器本体４に接合され、容器本体４の口部に、容器本体４内の内容物は吐出可能であるが、外部から容器本体４内に空気が侵入することを阻止する逆止弁５を有する口部キャップ６が取り付けられている。【選択図】図２
2015081093.tif 000002
【特許請求の範囲】
【請求項１】
可撓性を有する容器本体の底部の少なくとも一部が開口され、
この容器本体の底部の開口部を覆い、かつ容器本体内部に伸縮可能とされた袋体が容器本体に接合され、
容器本体の口部に、容器本体内の内容物は吐出可能であるが、外部から容器本体内に空気が侵入することを阻止する逆止弁を有する口部キャップが取り付けられている
ことを特徴とする容器。
【請求項２】
容器本体の底部に、容器本体の底部の開口部および袋体の収納部分を覆う底部カバーを取り付け、前記底部カバーに、この底部カバーと袋体との間に形成される空間に空気を通す空気孔を形成したことを特徴とする請求項１に記載の容器。
【請求項３】
底部カバーの底部に、容器本体の底部と袋体とを密接させるシール材が配設されていることを特徴とする請求項２に記載の容器。
【発明の詳細な説明】
【技術分野】
【０００１】
本発明は、容器内に収容した内容物の収容箇所に空気が入ることを防止しながら、前記内容物を良好に出すことができる容器に関するものである。
【背景技術】
【０００２】
液体からなる内容物が内部に収容され、内容物を注ぎ口から出しても、内容物を収容している箇所に空気が入ることを防止できるものとして、例えば特許文献１に開示された２重容器がある。図１１に示すように、この２重容器８０は、収縮可能な内容器８１と、可撓性を有する外容器８２とが、口部８３付近で接合されている。また、外容器８２の底部には蓋部８４が取り付けられているとともに、外容器８２および蓋部８４と、内容器８１との間は空気室８５とされ、蓋部８４の一部には、空気室８５の空気を排出するが空気室８５への空気の流入を阻止する逆止弁８６が内蔵された通気孔８７が設けられている。また、口部８３にはキャップ８８が取り付けられている。
【０００３】
この構成において、内容器８１に内容物を入れた状態で、キャップ８８を開けて外容器８２を押圧すると、逆止弁８６が閉じられて内容器８１が圧迫され、内容器８１に入れられている内容物が吐出される。この後、キャップ８８を閉じて外容器８２の押圧を止めると、外容器８２が元の形状に戻ろうとして、空気室８５の内部が減圧状態となるので、逆止弁８６が開いて、通気孔８７を通して外部からの空気が空気室８５内に導入され、外容器８２が元の形状に戻る。
【０００４】
これにより、内容器８１内に外部の空気が侵入することを防止しながら、内容物を出すことが可能とされている。なお、内容物が出されるに従って、内容器８１は収縮する。
【先行技術文献】
【特許文献】
【０００５】
【特許文献１】実開昭５７−４４０６３号公報
【発明の概要】
【発明が解決しようとする課題】
【０００６】
しかしながら、前記特許文献１に開示された２重容器８０によれば、内容器８１が口部８３付近でのみ外容器８２と接合されている構造であるため、ある程度内容器８１が収縮した状態では、内容器８１が、外容器８２内でふらつき易い不安定な状態となり、この２重容器８０を持った時などに、この２重容器８０の重心が変動するなどして使い難くなる恐れがある。
【０００７】
本発明は上記課題を解決するもので、容器内に収容した内容物の収容箇所に空気が入ることを防止しながら、前記内容物を良好に吐出することができるだけでなく、持った時などでも重心が変動し難い容器を提供することを目的とするものである。
【課題を解決するための手段】
【０００８】
上記課題を解決するために、本発明の容器は、可撓性を有する容器本体の底部の少なくとも一部が開口され、この容器本体の底部の開口部を覆い、かつ容器本体内部に伸縮可能とされた袋体が容器本体に接合され、容器本体の口部に、容器本体内の内容物は吐出可能であるが、外部から容器本体内に空気が侵入することを阻止する逆止弁を有する口部キャップが取り付けられていることを特徴とする。
【０００９】
この構成において、容器本体と袋体との間の空間に液体などの内容物を入れて口部キャップを取り付けた状態で、容器本体を押圧すると、内容物が入れられた空間が圧迫され、容器本体内に入れられている内容物が吐出される。この後、容器本体の押圧を止めると、容器本体が元の形状に戻ろうとして、内容物が入れられた空間が減圧状態となるので、逆止弁が閉じて、内容物が入れられた空間に外部の空気が侵入することが防止されるとともに、内容物が入れられた空間が狭くなるように袋体が容器本体の内側に食い込むように変形する。
【００１０】
この構成によれば、内容物が減少した場合でも、袋体が容器本体の内側に近接したり密接したりする方向に変形するだけなので、当該容器を持った際などでも、この容器の重心が変動することがない。
【００１１】
また、本発明は、容器本体の底部に、容器本体の底部の開口部および袋体の収納部分を覆う底部カバーを取り付け、前記底部カバーに、この底部カバーと袋体との間に形成される空間に空気を通す空気孔を形成したことを特徴とする。この構成によれば、袋体が配設される箇所が、容器本体と底部カバーとにより覆われるので、袋体が外部から破られることを防止することができる。
【００１２】
また、本発明は、底部カバーの底部に、容器本体の底部と袋体とを密接させるシール材（パッキン）が配設されていることを特徴とする。この構成によれば、比較的簡単な構成で、容器本体の底部と袋体とを密接させることができる。
【発明の効果】
【００１３】
本発明によれば、可撓性を有する容器本体の底部の少なくとも一部を開口させ、この容器本体の底部の開口部を覆い、かつ容器本体内部に伸縮可能とされた袋体を容器本体に接合したので、内容物が減少した場合でも、袋体が容器本体の内側に近接したり密接したりする方向に変形するだけであり、当該容器を持った際などでも、この容器の重心が変動することはなく、良好な使い勝手が維持される。
【００１４】
また、容器本体の底部に、容器本体の底部の開口部および袋体の収納部分を覆う底部カバーを取り付け、前記底部カバーに、この底部カバーと袋体との間に形成される空間に空気を通す空気孔を形成することにより、袋体が外部から破られることを防止できて、信頼性を向上させることができる。
【００１５】
また、底部カバーの底部に、容器本体の底部と袋体とを密接させるシール材（パッキン）を配設することにより、比較的簡単な構成で、容器本体の底部と袋体とを密接させることができて、良好なシール性能を得ることができながら、製造コストを最小限に抑えることができる。
【図面の簡単な説明】
【００１６】
【図１】本発明の実施の形態に係る容器の正面図である。
【図２】同容器の一部切欠分解図である。
【図３】同容器の斜め下方から見た斜視図であり、口部キャップを省いた状態を示している。
【図４】同容器の底面図である。
【図５】同容器の底部の部分切欠拡大正面図である。
【図６】（ａ）〜（ｃ）はそれぞれ同容器の使用状態を示す部分切欠断面図である。
【図７】従来の容器の部分切欠正面図である。
【発明を実施するための形態】
【００１７】
以下、本発明の実施の形態に係る容器を図面に基づき説明する。
図１〜図４などに示すように、本発明の実施の形態に係る容器１は、上部に口部２が形成されているとともに底部に開口部（底部開口部と称す）３が形成されている容器本体４と、この容器本体４の口部２に取り付けられているとともに、容器本体４内の内容物は吐出可能であるが、外部から容器本体４内に空気が侵入することを阻止する逆止弁５が内蔵されている口部キャップ６と、容器本体４の底部開口部３を覆い、かつ容器本体４の内部に伸縮可能とされた袋体７と、容器本体４の底部に取り付けられて、容器本体４の底部開口部３および袋体７の収納部分を覆う底部カバー８と、底部カバー８の底部内面に配設されて、容器本体４の底部と袋体７とを密接させるシール材（パッキン）９とを備えた構成とされている。
【００１８】
ここで、容器本体４は、可撓性（弾性変形可能な性質）を有するポリエチレンなどの合成樹脂製とされている。また、袋体７は、シール材９により下方から押圧されて、その開口側縁部で、容器本体４の底部（詳しくは底部における底部開口部３に臨む周縁部）に密接されている。また、液体からなる内容物Ｘが容器本体４と袋体７とにより囲まれる空間内に充填されており、袋体７は、内容物Ｘが満杯の状態では、図１、図２、図５などに簡略的に示すように、一部が折りたたまれた状態で底部カバー８の近傍に配設されている。一方、内容物Ｘが減少するにつれて、袋体７は、図６（ａ）〜（ｃ）に示すように、容器本体４の内面に近づくように変形可能とされている。
【００１９】
また、この実施の形態では、逆止弁５として、簡略的に、口部キャップ６の本体に形成された吐出開口部を開閉する蓋部がヒンジ部を介して接続された構造の場合を、図２において簡略的に示している。しかし、これに限るものではなく、容器本体４内の内容物は吐出可能であるが、外部から容器本体４内に空気が侵入することを阻止する機能を有していればよい。
【００２０】
また、容器本体４の底部に取り付けられて、容器本体４の底部開口部３および袋体７の収納部分を覆う底部カバー８は、ある程度の剛性を有して、当該容器１を良好に立設でき、かつ、袋体７の配設空間を外部から保護できるよう図られている。
【００２１】
また、底部カバー８には、この底部カバー８と袋体７との間に形成される空間に空気を通す空気孔１０が形成されている。また、シール材（パッキン）９は、容器本体４の底部と袋体７とを良好に密接可能な形状（すなわち、少なくとも容器本体４の底部と袋体７とを密接させる円板形状など）であればよく、例えば、底部カバー８の空気孔１０を通った空気を内部に導く孔が中央部や、空気孔１０の対応箇所に設けられていればよい。なお、シール材９を設ける代わりに、接着剤などを用いて、容器本体４の底部に袋体を接着してもよい。
【００２２】
上記構成において、容器本体４と袋体７との間に液体などの流体からなる内容物Ｘを入れて口部キャップ６を取り付けた状態（図６（ａ）参照）で、容器本体４を外側から押圧すると、内容物Ｘが入れられた空間が圧迫され、容器本体４内に入れられている内容物Ｘが逆止弁５の配設箇所を通して吐出される。
【００２３】
この後、容器本体４の押圧を止めると、容器本体４が元の形状に戻ろうとして、内容物Ｘが入れられた空間が減圧状態となるので、逆止弁５が閉じて、内容物Ｘが入れられた空間に外部の空気が侵入することが防止されるとともに、底部カバー８の空気孔１０を通して、容器本体４の底部に外部の空気が侵入する。これにより、内容物Ｘが入れられた空間が狭くなるように袋体７が容器本体４の内側に食い込むように変形する。そして、内容物Ｘが減るにつれて、袋体７が、図６（ｂ）に示すように、容器本体４の内面に、下方から徐々に密接するように変形し、内容物Ｘが殆ど吐出されてなくなった状態となると、図６（ｃ）に示すように、袋体７が、容器本体４の内面に密着した状態となる。
【００２４】
この構成によれば、内容物Ｘが減少した場合でも、袋体７が容器本体４の内側に近接したり密接したりする方向に変形するだけなので、当該容器１を持った際などでも、この容器１の重心が変動することがなく、良好な使い勝手が維持される。
【００２５】
また、上記実施の形態では、容器本体４の底部に、容器本体４の底部の開口部３および袋体７の収納部分を覆う底部カバー８を取り付け、底部カバー８に、この底部カバー８と袋体７との間に形成される空間に空気を通す空気孔１０を形成している。これにより、袋体７が配設される箇所が、容器本体４と底部カバー８とにより覆われるので、袋体７が外部からの異物などにより破断することを防止でき、容器１としての信頼性を向上させることができる。
【００２６】
また、上記のように、底部カバー８の底部に、容器本体４の底部と袋体７とを密接させるシール材（パッキン）９を配設したことにより、比較的簡単な構成で、容器本体４の底部と袋体７とを密接させることができ、良好なシール性能を得ることができながら、製造コストを最小限に抑えることができる。
【００２７】
なお、上記実施の形態では、容器本体４の底面部全体を開口させた場合を述べたが、これに限るものではなく、容器本体４の底面部の一部（例えば中央部のみ）を開口させて、この容器本体４の底部の開口部を覆うように袋体７を接合させてもよい。
【符号の説明】
【００２８】
１      容器
２      口部
３      開口部（底部開口部）
４      容器本体
５      逆止弁
６      口部キャップ
７      袋体
８      底部カバー
９      シール材（パッキン）
１０    空気孔
Ｘ      内容物
【図１】
2015081093.tif 000003
【図２】
2015081093.tif 000004
【図３】
2015081093.tif 000005
【図４】
2015081093.tif 000006
【図５】
2015081093.tif 000007
【図６】
2015081093.tif 000008
【図７】
2015081093.tif 000009